(57)【要約】【課題】調理器具をスペース効率よく安定的に収納でき、調理器具の収納および取り出しも容易にできる調理器具収納ラックを低コストで提供する。【解決手段】固定枠体２，３と、調理器具を支持して水平方向に移動可能な複数の移動支持枠と、前記固定枠体に固定され、前記移動支持枠を水平方向に案内可能な２本のガイドレール５とを有する。前記移動支持枠は、水平方向に互いに間隙を持って並行して配置され、それぞれが前記調理器具の外周輪郭形状に近似した形状とされた２本以上の棒状支持部６１１，６２１，６３１，…を含む。前記棒状支持部は、それらの間の間隙に前記調理器具のフランジ部を挿入して前記調理器具を横倒しの状態で支持するものである。そして、複数の前記移動支持枠は、複数種類の前記調理器具の中の小径の調理器具の一部が他の大径の調理器具内に収容可能となるように配置されたものである。【選択図】図４
2012090719.tif 000002
【特許請求の範囲】
【請求項１】
固定枠体（２，３）と、
調理器具（７１〜７８）を支持して水平方向に移動可能な複数の移動支持枠（６１〜６８）と、
前記固定枠体（２，３）に固定され、前記移動支持枠（６１〜６８）を水平方向に案内可能な２本のガイドレール（４，５）とを有し、
前記移動支持枠（６１〜６８）は、水平方向に互いに間隙を持って並行して配置され、それぞれが前記調理器具（７１〜７８）の外周輪郭形状に近似した形状とされた２本以上の棒状支持部を含み、
前記棒状支持部は、それらの間の間隙に前記調理器具（７１〜７８）のフランジ部を挿入して前記調理器具（７１〜７８）を横倒しの状態で支持するものであり、
複数の前記移動支持枠（６１〜６８）は、複数種類の前記調理器具（７１〜７８）の中の小径の調理器具の一部が他の大径の調理器具内に収容可能となるように配置されたものである調理器具収納ラック。
【請求項２】
請求項１に記載した調理器具収納ラックであって、
前記ガイドレール（４，５）は、ガイドレール間の空間に前記調理器具（７１〜７８）が収容可能となるように平行に配置され、前記移動支持枠（６１〜６８）を案内する案内路として内側に配置された内側案内路（４１，４２）と外側に配置された外側案内路（４３，４４）が設けられたものであり、
前記移動支持枠（６１〜６８）は、前記内側案内路（４１，４２）または前記外側案内路（４３，４４）のいずれかに案内されて転動するローラ（６０１）を備えたものである調理器具収納ラック。
【請求項３】
請求項２に記載した調理器具収納ラックであって、
複数の前記移動支持枠（７１〜７８）の隣接するもの同士が前記内側案内路（４１，４２）または前記外側案内路（４３，４４）の互いに異なる案内路に案内されるように配置されたものである調理器具収納ラック。
【請求項４】
請求項２，３のいずれか１項に記載した調理器具収納ラックであって、
前記内側案内路（４１，４２）および前記外側案内路（４３，４４）は、それぞれが上下に２本の案内面を備えたものである調理器具収納ラック。
【請求項５】
請求項４に記載した調理器具収納ラックであって、
前記移動支持枠（７１〜７８）は、１本の前記ガイドレール（４，５）に対してそれぞれ前記ローラ（６０１）を４個ずつ備えたものである調理器具収納ラック。
【請求項６】
請求項１〜５のいずれか１項に記載した調理器具収納ラックであって、
前記棒状支持部（６５１，６６１）は、前記調理器具（７１〜７８）の横倒し方向が水平に近くなるように、曲線部分を含む平面が鉛直方向に対して所定角度傾斜して配置されたものである調理器具収納ラック。
【請求項７】
請求項１〜６のいずれか１項に記載した調理器具収納ラックであって、
前記固定枠体（２，３）に固定され、前記調理器具（７０，７９，８７）を支持する固定支持部（２３，３３）を有する調理器具収納ラック。
【請求項８】
請求項１〜７のいずれか１項に記載した調理器具収納ラックであって、
前記調理器具（８１〜８６）を支持し、前記ガイドレール（４，５）に案内されて水平方向に移動可能な第２移動支持枠（６９）を有し、
前記第２移動支持枠（６９）は、支持棒（６９１）を前記調理器具（８１〜８６）に設けられた貫通孔に挿入して前記調理器具（８１〜８６）を支持するものである調理器具収納ラック。
【請求項９】
請求項１〜８のいずれか１項に記載した調理器具収納ラックであって、
調理器具収納ラック全体の寸法が、台所に備えられた通常のキャビネットに収納可能な大きさである調理器具収納ラック。
【発明の詳細な説明】
【技術分野】
【０００１】
この発明は、調理容器やその蓋等の調理器具を収納する調理器具収納ラックに関するものであり、さらに詳しくは、スペース効率を向上させて調理器具の収納空間をコンパクト化するとともに、調理器具の収納および取り出しを容易に行うことのできる調理器具収納ラックに関するものである。
【背景技術】
【０００２】
電磁誘導加熱調理器は燃焼炎を使用しない安全かつ高効率の加熱調理器として急速に普及が拡大している。このような電磁誘導加熱調理器とともに使用するための調理容器としても種々の形態のものが製造されている。調理容器も料理の種類、量などに応じて種々の大きさの鍋やフライパン等が必要であり、これらを通常の棚などに収納する場合、調理容器を個別に置いて収納すると、非常に広大な収納空間を必要としてしまい、全ての調理容器を収納しきれなくなるという不具合がある。
【０００３】
そこで、複数の調理容器を積み重ねて収納するようにすると、積み重ねた調理容器の安定性が悪くなってくずれたり、必要な調理容器を取り出すのに手間がかかって面倒になったりする。さらに、調理容器の積み重ね順序等にも気を遣うため、調理容器を収納する手間も増大してしまう。このため、これらの多種類の調理容器を効率よく収納できる設備が求められていた。
【０００４】
調理器具の収納効率を向上させ、数多くの調理器具をコンパクトな空間に収納できるようにした収納設備としては、下記の特許文献１に記載されたようなものが公知である。特許文献１には、吊り下げバーに吊り具を移動可能に設け、その吊り具に調理器具を吊り下げて収納するようにした調理器具の収納構造が記載されている。
【先行技術文献】
【特許文献】
【０００５】
【特許文献１】特開２０００−１３５１２６号公報
【発明の概要】
【発明が解決しようとする課題】
【０００６】
前述のように、複数の調理容器を積み重ねて収納するのは、調理容器の安定性が悪くなるという問題点があり、さらに、調理容器の収納や取り出しにも手間がかかるという問題点があった。また、特許文献１のような収納構造にも、次のような問題点がある。まず、調理器具を吊り具に吊り下げて収納しているので、調理器具に吊り下げるための構造が必要になる。調理器具の取っ手等に吊り具に吊り下げるための穴が形成されていなければならず、必ずしも全ての種類の調理器具を収納できるわけではない。
【０００７】
さらに、調理器具が１点で吊り下げ支持されているので、調理器具の収納安定性にも問題点があった。調理器具を収納したり取り出したりする際に、調理器具の下端側が大きく揺れて他の調理器具に衝突したり、吊り具から脱落して落下し、調理器具が損傷するおそれもあった。また、調理器具の収納および取り出し行うために、吊り下げバーを引き出す必要があり、調理器具の収納および取り出しの作業性は良好とは言えず、特に一番奥側の調理器具の作業性が悪化するという問題点があった。
【０００８】
そこで、本発明は、調理容器やその蓋等の調理器具を収納スペースの点で効率よく収納することができ、スペース効率を向上させて調理器具の収納空間をコンパクト化するとともに、調理器具の収納安定性を向上させ、さらに、調理器具の収納および取り出しを容易に行うことのできる調理器具収納ラックを提供することを目的とする。
【課題を解決するための手段】
【０００９】
上記目的を達成するために、本発明の調理器具収納ラックは、固定枠体と、調理器具を支持して水平方向に移動可能な複数の移動支持枠と、前記固定枠体に固定され、前記移動支持枠を水平方向に案内可能な２本のガイドレールとを有する。前記移動支持枠は、水平方向に互いに間隙を持って並行して配置され、それぞれが前記調理器具の外周輪郭形状に近似した形状とされた２本以上の棒状支持部を含む。前記棒状支持部は、それらの間の間隙に前記調理器具のフランジ部を挿入して前記調理器具を横倒しの状態で支持するものである。そして、複数の前記移動支持枠は、複数種類の前記調理器具の中の小径の調理器具の一部が他の大径の調理器具内に収容可能となるように配置されたものである。
【００１０】
また、上記の調理器具収納ラックにおいて、前記ガイドレールは、ガイドレール間の空間に前記調理器具が収容可能となるように平行に配置され、前記移動支持枠を案内する案内路として内側に配置された内側案内路と外側に配置された外側案内路が設けられたものであり、前記移動支持枠は、前記内側案内路または前記外側案内路のいずれかに案内されて転動するローラを備えたものであることが好ましい。
【００１１】
また、上記の調理器具収納ラックにおいて、複数の前記移動支持枠の隣接するもの同士が前記内側案内路または前記外側案内路の互いに異なる案内路に案内されるように配置されたものであることが好ましい。
【００１２】
また、上記の調理器具収納ラックにおいて、前記内側案内路および前記外側案内路は、それぞれが上下に２本の案内面を備えたものであることが好ましい。
【００１３】
また、上記の調理器具収納ラックにおいて、前記移動支持枠は、１本の前記ガイドレールに対してそれぞれ前記ローラを４個ずつ備えたものであることが好ましい。
【００１４】
また、上記の調理器具収納ラックにおいて、前記棒状支持部は、前記調理器具の横倒し方向が水平に近くなるように、曲線部分を含む平面が鉛直方向に対して所定角度傾斜して配置されたものであることが好ましい。
【００１５】
また、上記の調理器具収納ラックにおいて、前記固定枠体に固定され、前記調理器具を支持する固定支持部を有することが好ましい。
【００１６】
また、上記の調理器具収納ラックにおいて、前記調理器具を支持し、前記ガイドレールに案内されて水平方向に移動可能な第２移動支持枠を有し、前記第２移動支持枠は、支持棒を前記調理器具に設けられた貫通孔に挿入して前記調理器具を支持するものであることが好ましい。
【００１７】
また、上記の調理器具収納ラックにおいて、調理器具収納ラック全体の寸法が、台所に備えられた通常のキャビネットに収納可能な大きさであることが好ましい。
【発明の効果】
【００１８】
本発明は、以上のように構成されているので、以下のような効果を奏する。
【００１９】
調理容器のフランジ部を２本の棒状支持部の間隙に挟み込んで支持するため、調理容器を横倒しの状態で安定して支持することができる。調理容器は揺れ動いたりせずに棒状支持部に対してほぼ一定の位置に保持される。そして、多種類の調理容器を横倒し状態で互いに重ね合わせて効率よく収納することができ、収納のための空間を大幅にコンパクト化することができる。
【００２０】
移動支持枠の棒状支持部は、簡素な構成により調理容器を正確な位置に安定して支持することができ、調理器具の収納安定性が良好な調理器具収納ラックを低コストで製造することができる。
【００２１】
隣接する移動支持枠を互いに異なる案内路に配置するようにしたので、各移動支持枠の移動可能範囲が広がり、調理器具の収納および取り出しを容易に行うことができる。
【図面の簡単な説明】
【００２２】
【図１】図１は、本発明の調理器具収納ラック１の構成を示す平面図である。調理器具収納ラック１を上方から見た平面図である。
【図２】図２は、本発明の調理器具収納ラック１の構成を示す正面図である。
【図３】図３は、調理器具収納ラック１の断面図であり、図１におけるＡ−Ａ矢視断面図である。
【図４】図４は、調理器具収納ラック１に調理器具を収納した状態を示す断面図であり、図１におけるＢ−Ｂ矢視断面図である。
【図５】図５は、移動支持枠６６の構成を示す正面図である。
【図６】図６は、移動支持枠６６の平面図である。
【図７】図７は、移動支持枠６６の右側面図である。
【図８】図８は、移動支持枠６５の構成を示す正面図である。
【図９】図９は、移動支持枠６５の平面図である。
【図１０】図１０は、移動支持枠６５の右側面図である。
【図１１】図１１は、ガイドレール４の構成を示す断面図である。
【発明を実施するための形態】
【００２３】
本発明の実施の形態について図面を参照して説明する。図１は、本発明の調理器具収納ラック１の構成を示す平面図であり、調理器具収納ラック１を上方から見た図である。また、図２は調理器具収納ラック１の構成を示す正面図である。そして、図３は調理器具収納ラック１を右側面から見た断面図であり、図１におけるＡ−Ａ矢視断面図である。本発明の調理器具収納ラック１は、調理容器やその蓋等の多数の調理器具をコンパクトな空間に効率よく収納するものである。本明細書において調理器具とは、調理容器とその蓋を包括的に意味する用語である。
【００２４】
調理器具は電磁誘導加熱調理器とともに使用するための調理容器とその蓋である。料理の種類、量などに応じて種々の大きさの鍋やフライパン等が必要であり、一般家庭においても多種類の調理容器とその蓋が用意されている。本発明の調理器具収納ラック１は、複数の調理容器を横倒しの状態で、かつ、それぞれの中心線がほぼ一致するように支持し、大径の調理容器の内部に小径の調理容器を重ね合わせて収納することにより、多種類の調理容器とその蓋をコンパクトな空間に収納可能とするものである。
【００２５】
調理器具収納ラック１の左右両側には固定枠体２，３が配置されている。固定枠体２，３は、ステンレス綱のパイプ材を曲げ加工により成形したものである。左側の固定枠体２には水平方向の補強バー２０，２１，２２が溶接により固定されている。同様に、右側の固定枠体３にも水平方向の補強バー３０，３１，３２が溶接により固定されている。固定枠体２の下面の補強バー２１，２２上には固定支持部２３が固定されている。固定支持部２３の載置凹部には、内径２６ｃｍの浅形鍋のフランジ部が載置できる。
【００２６】
固定枠体３の下方の補強バー３１，３２上には固定支持部３３が固定されている。固定支持部３３には、載置凹部が左右に２個所設けられており、左方の載置凹部には内径３０ｃｍのフライパンが載置でき、右方の載置凹部には３０ｃｍフライパンの蓋が載置できる。
【００２７】
これらの固定枠体２，３は、ガイドレール４，５によって互いに接続固定されている。固定枠体２と補強バー２０の接続部近傍には、図示されていないが、ガイドレール４，５を接続固定するための固定金具が溶接により固定されている。固定枠体３と補強バー３０の接続部近傍にも同様の固定金具が溶接により固定されている。ガイドレール４，５はこれらの接続金具にねじ止め固定されている。これにより、固定枠体２，３とガイドレール４，５は一体となって調理器具収納ラック１の本体部分を構成する。
【００２８】
前面側のガイドレール４と後面側のガイドレール５の内部には、それぞれ内側の案内路と外側の案内路が設けられており、それらの案内路に沿って水平方向に移動可能に移動支持枠６１〜６８と第２移動支持枠６９が設けられている。なお、ガイドレール４，５内部の案内路の構成に関しては、後に詳しく説明する。
【００２９】
移動支持枠６３には、２本の棒状支持部６３１，６３１が設けられている。２本の棒状支持部６３１，６３１は、水平方向に互いに間隙を持って並行して配置され、それぞれが調理容器の外周輪郭形状に近似した形状に成形されている。同様に、移動支持枠６４には、２本の棒状支持部６４１，６４１が設けられている。２本の棒状支持部６４１，６４１は、水平方向に互いに間隙を持って並行して配置され、それぞれが調理容器の外周輪郭形状に近似した形状に成形されている。
【００３０】
図３に示すように、棒状支持部６３１は外径の大きな調理容器（内径２２ｃｍの蒸し器）を支持するように成形され、棒状支持部６４１はそれよりも外径の小さな調理容器（内径２０ｃｍの深形鍋）を支持するように成形されている。なお、図３では繁雑さを避けるために移動支持枠６３，６４のみを表示している。
【００３１】
２本の棒状支持部６３１，６３１の間の間隙に調理容器のフランジ部を挿入して、調理容器を横倒しの状態で移動支持枠６３に支持する。調理容器はフランジ部を棒状支持部６３１，６３１によって挟まれ、また、近似形状の棒状支持部６３１によって外周面に沿って支持されるため、正確で安定した位置に保持される。移動支持枠６４についても同様である。他の移動支持枠６１，６２，６５〜６８も同様の構成である。各移動支持枠にそれぞれ２本の棒状支持部が設けられている。これらの移動支持枠の構成に関しては、後に詳しく説明する。
【００３２】
第２移動支持枠６９もガイドレール４，５に案内されて水平方向に移動可能に設けられている。第２移動支持枠６９は他の移動支持枠６１〜６８とは調理器具の支持構造が異なるものである。第２移動支持枠の中央上部には、左右両側に張り出すように支持棒６９１が固定されている。調理容器の蓋にはそれぞれ空気抜きの貫通孔が設けられている。この貫通孔に支持棒６９１を挿入することにより、複数の蓋を第２移動支持枠６９に支持するものである。
【００３３】
次に、調理器具収納ラック１への調理器具の収納について説明する。図４は、調理器具収納ラック１に調理器具を収納した状態を示す断面図である。図４の調理器具収納ラック１は、図１におけるＢ−Ｂ矢視断面図である。収納した状態の調理器具は二点鎖線で示されている。調理器具収納ラック１には、図示のように調理容器７０〜７９、蓋８１〜８７が収納できる。調理容器７０は、内径２６ｃｍの浅形鍋であり、そのフランジ部を固定支持部２３の載置凹部に載置して収納する。
【００３４】
調理容器７１は、内径２４ｃｍの深形鍋であり、そのフランジ部を移動支持枠６１の２本の棒状支持部６１１，６１１間の間隙に挿入して収納する。調理容器７２は、内径２２ｃｍの深形鍋であり、そのフランジ部を移動支持枠６２の２本の棒状支持部６２１，６２１間の間隙に挿入して収納する。調理容器７３は、内径２２ｃｍの蒸し器であり、そのフランジ部を移動支持枠６３の２本の棒状支持部６３１，６３１間の間隙に挿入して収納する。
【００３５】
調理容器７４は、内径２０ｃｍの深形鍋であり、そのフランジ部を移動支持枠６４の２本の棒状支持部６４１，６４１間の間隙に挿入して収納する。調理容器７５は、内径１８ｃｍの深形鍋であり、そのフランジ部を移動支持枠６５の２本の棒状支持部６５１，６５１間の間隙に挿入して収納する。調理容器７６は、内径１６ｃｍの深形鍋であり、そのフランジ部を移動支持枠６６の２本の棒状支持部６６１，６６１間の間隙に挿入して収納する。
【００３６】
蓋８１〜８６は各種調理容器の蓋である。第２移動支持枠６９の支持棒６９１を各蓋の貫通孔に挿入することにより、これらの蓋を第２移動支持枠６９に支持するものである。なお、図４においては、第２移動支持枠６９の支持棒６９１は、両端が上方に傾斜するようにＶ字状に固定されているが、両端を上方に傾斜させずに水平状に設けてもよい。
【００３７】
調理容器７７は、内径２２ｃｍのフライパンであり、そのフランジ部を移動支持枠６７の２本の棒状支持部６７１，６７１間の間隙に挿入して収納する。調理容器７８は、内径２６ｃｍのフライパンであり、そのフランジ部を移動支持枠６８の２本の棒状支持部６８１，６８１間の間隙に挿入して収納する。
【００３８】
調理容器７９は、内径３０ｃｍのフライパンであり、そのフランジ部を固定支持部３３の左方の載置凹部に載置して収納する。蓋８７は、３０ｃｍフライパンの蓋であり、固定支持部３３右方の載置凹部にその外周部を載置して収納する。以上のように、調理容器７０〜７６は大径の調理容器から小径の調理容器まで大きさの順番に並べて収納するようにしている。また、これらの調理容器７０〜７６は全て同じ方向に向けて横倒しの状態で収納される。
【００３９】
そして、調理容器７０〜７６は、それらの中心線がほぼ共通の水平線となるような位置に支持されているため、大径の調理容器の内部に隣接する小径の調理容器の一部が収納されることとなる。図示のように、調理容器によってはその大部分が隣接する大径の調理容器内に収納されるため、収納のための空間が大幅にコンパクト化されることになる。
【００４０】
調理容器７７〜７９についても同様である。調理容器７７〜７９は大径の調理容器から小径の調理容器まで大きさの順番に右側から並べて収納するようにしている。また、これらの調理容器７７〜７９は全て同じ方向に向けて横倒しの状態で収納され、それらの中心線がほぼ共通の水平線となるような位置に支持されているため、大径の調理容器の内部に隣接する小径の調理容器の一部が収納されることとなる。図示のように、調理容器によってはその大部分が隣接する大径の調理容器内に収納されるため、収納のための空間が大幅にコンパクト化されることになる。
【００４１】
移動支持枠６１〜６８および第２移動支持枠６９は、ガイドレール４，５に沿って水平移動が可能であり、また移動可能範囲も広範囲であるため、移動支持枠６１〜６８にそれぞれの大きさに合致した調理容器を載置した後、移動支持枠を移動させて隣接するより大径の調理容器内に重なり合うようにできる。また、必要な調理容器を取り出す際には、必要な調理容器を移動させて隣接する大径の調理容器から露出させ、容易に取り出すことができる。
【００４２】
なお、移動支持枠６１〜６８および第２移動支持枠６９には、それぞれ収納支持する調理器具の大きさおよび種類が決められている。ガイドレール４，５のいずれか一方または両方の上面に、収納する調理器具の大きさおよび種類を概略図形および内径数値などにより収納する順番に従って表示することが好ましい。このように調理器具の収納位置を表示しておけば、調理器具の収納位置を間違えることが防止できる。
【００４３】
次に、移動支持枠の構成について詳しく説明する。例として、移動支持枠６６の構成を説明する。図５は移動支持枠６６の構成を示す正面図である。また、図６は移動支持枠６６の平面図である。そして、図７は移動支持枠６６の右側面図である。移動支持枠６６は、ガイドレール４，５内に収納されて移動する移動板６６３をその両端に備えている。移動板６６３の内側には図示のように４つのローラ６０１が回転可能に軸支されている。
【００４４】
また、移動板６６３の間には、２本の棒状支持部６６１，６６１が溶接により固定されて設けられている。２本の棒状支持部６６１，６６１は、水平方向に互いに間隙を持って並行して配置され、それぞれが調理容器の外周輪郭形状に近似した形状に成形されている。補強金具６６２は、棒状支持部６６１，６６１の配置および位置関係を補強するためのものである。補強金具６６２は、移動板６６３および棒状支持部６６１，６６１に溶接固定されている。
【００４５】
この移動支持枠６６は、ローラ６０１がガイドレール４，５の内側の案内路に配置される。なお、補強金具６６２の端部が移動板６６３の外側に突出されている。これは、隣接する移動支持枠とこの移動支持枠６６との順番が入れ違ってしまわないように、相対位置関係を規制するためのものである。
【００４６】
また、棒状支持部６６１は、１本の棒状支持部６６１の曲線部分を含む平面がほぼ鉛直方向を向くように配置されている。しかし、実際には図５に示すように、棒状支持部６６１の曲線部分を含む平面が鉛直方向から微小な所定角度だけ傾斜するように配置することが好ましい。図５において鉛直方向が直線Ｖによって示されている。棒状支持部６６１は、その下端が鉛直位置よりも左方となるように、鉛直方向から１．５度だけ傾斜して配置されている。
【００４７】
棒状支持部６６１の曲線部分を含む平面を完全に鉛直方向に配置した場合、調理容器を載置したときに、調理容器のフランジ部と棒状支持部６６１との間隙や棒状支持部６６１の撓みによって、調理容器が正面から見て（図８の方向から見て）左回りに微小角度回動してしまう。これは調理容器の重心位置が支持位置よりも左側に位置しているためである。調理容器が水平方向の横倒し状態から傾斜してしまうと、調理容器同士を重ね合わせて収納する際に、調理容器が接触したり、移動が妨げられるおそれが出てくる。
【００４８】
したがって、この調理容器の微小角度回動を打ち消すために、棒状支持部６６１を逆方向に傾斜させておくのである。棒状支持部６６１を前述のように微小角度傾斜させておくことにより、調理容器をより正確に水平方向の横倒し状態とすることができる。
【００４９】
次に、移動支持枠６６と隣接する移動支持枠６５の構成について説明する。図８は移動支持枠６５の構成を示す正面図である。また、図９は移動支持枠６５の平面図である。そして、図１０は移動支持枠６５の右側面図である。移動支持枠６５は、ガイドレール４，５内に収納されて移動する移動板６５３をその両端に備えている。移動板６５３の外側には図示のように４つのローラ６０１が回転可能に軸支されている。
【００５０】
また、移動板６５３の間には、２本の棒状支持部６５１，６５１が溶接により固定されて設けられている。２本の棒状支持部６５１，６５１は、水平方向に互いに間隙を持って並行して配置され、それぞれが調理容器の外周輪郭形状に近似した形状に成形されている。補強金具６５２は、棒状支持部６５１，６５１の配置および位置関係を固定し補強するためのものである。補強金具６５２は、移動板６５３および棒状支持部６５１，６５１に溶接固定されている。
【００５１】
また、移動支持枠６６と同様に、移動支持枠６５の棒状支持部６５１もその曲線部分を含む平面が鉛直方向から微小な所定角度だけ傾斜するように配置されている。図８において鉛直方向が直線Ｖによって示されている。棒状支持部６５１は、その下端が鉛直位置よりも左方となるように、鉛直方向から１．５度だけ傾斜して配置されている。
【００５２】
この移動支持枠６５は、ローラ６０１がガイドレール４，５の外側の案内路に配置される。隣接する移動支持枠６６はガイドレール４，５の内側の案内路に配置されているので、移動支持枠６５と移動支持枠６６は移動板６５３，６６３やローラ６０１が衝突することなく、広範囲の移動が可能である。このため、棒状支持部６５１と棒状支持部６６１は非常に接近した位置にまで移動することができる。
【００５３】
このような関係は他の移動支持枠でも同様である。隣接する移動支持枠および第２移動支持枠は互いに異なる案内路に配置され、交互に内側案内路と外側案内路とに順番に配置されている。図１を参照すれば、移動支持枠６１，６３，６５、第２移動支持枠６９、移動支持枠６８は外側案内路に配置されており、移動支持枠６２，６４，６６，６７は内側案内路に配置されている。
【００５４】
このように移動支持枠および第２移動支持枠を交互に内側案内路と外側案内路とに配置することにより、隣接する移動支持枠および第２移動支持枠が非常に接近した位置まで移動することが可能となる。そのため多種類の調理容器を重ね合わせて効率よく収納することができるようになる。そして、収納のための空間が大幅にコンパクト化されることになる。
【００５５】
図１１は、ガイドレール４の構成を示す断面図であり、ガイドレール４を右方向から見た断面図である。ガイドレール５についても、ガイドレール４と対称な構造であり、図の左右が逆になることを除けばガイドレール４と同じ構造である。ガイドレール４は、下方に開口溝が形成された、長手方向に一様な構造体である。ガイドレール４には、図示のように移動支持枠の移動板とローラ６０１が収容される。移動支持枠は、ガイドレール４の内側案内路または外側案内路に案内され、水平方向に移動可能となっている。
【００５６】
ガイドレール４の内部にはローラ６０１を案内するための４つの案内面４１，４２，４３，４４が形成されている。案内面４２，４１はガイドレール４の内側部分の上下に配置されており、これらの案内面４１，４２が内側案内路を構成している。案内面４４，４３はガイドレール４の外側部分の上下に配置されており、これらの案内面４３，４４が外側案内路を構成している。
【００５７】
このように上下の２つの案内面により１つの案内路を構成し、ガイドレール４には内側案内路と外側案内路の２つの案内路を備えているので、前述のように、移動支持枠および第２移動支持枠の移動範囲を広げ、隣接する移動支持枠および第２移動支持枠が非常に接近した位置まで移動することが可能となる。また、各案内路は上下２つの案内面により構成され、その各案内路を４つのローラ６０１を備えた移動板が移動するものであるため、移動支持枠は傾斜することなく水平状態を保って移動することができる。
【００５８】
調理器具収納ラック１は、全体の寸法が一般家庭の台所に備えられた通常のキャビネットに収納可能な大きさであることが好ましい。実際の寸法は、幅：６５６ｍｍ、奥行き：３７３ｍｍ、高さ：２５７ｍｍである。この大きさであればほとんどのメーカ製キッチン・キャビネットに収納可能である。なお、寸法は一例でありこれ以外の寸法でもよく、キャビネットに収納可能であれば好ましい。
【００５９】
また、移動支持枠６５，６６と同様に、移動支持枠６１〜６４の棒状支持部も鉛直方向から微小な所定角度だけ傾斜するように配置することが望ましい。移動支持枠を正面から見た場合、棒状支持部は、その下端が鉛直位置よりも左方となるように、鉛直方向から１．５度だけ傾斜して配置することが望ましい。
【００６０】
移動支持枠６７，６８では、移動支持枠を正面から見た場合、支持する調理容器の重心が棒状支持部より右方となるため、棒状支持部の傾斜方向を逆方向とする。すなわち、移動支持枠６７，６８では、棒状支持部は、その下端が鉛直位置よりも右方となるように、鉛直方向から１．５度だけ傾斜して配置することが望ましい。
【００６１】
以上のように、本発明の調理器具収納ラック１は、調理容器のフランジ部を２本の棒状支持部の間隙に挟み込んで支持するため、調理容器を横倒しの状態で安定して支持することができる。調理容器は揺れ動いたりせずに棒状支持部に対してほぼ一定の位置に保持される。そして、多種類の調理容器を横倒し状態で互いに重ね合わせて効率よく収納することができ、収納のための空間を大幅にコンパクト化することができる。また、各移動支持枠の移動可能範囲も広く、調理器具の収納および取り出しを容易に行うことができる。
【００６２】
移動支持枠６１〜６４の棒状支持部は、簡素な構成により調理容器を正確な位置に安定して支持することができ、調理器具の収納安定性が良好な調理器具収納ラックを低コストで製造することができる。なお、以上に説明した実施の形態では、各移動支持枠に２本の棒状支持部を設けているが、２本に限らず３本以上の同様の棒状支持部を水平方向に互いに間隙を持って並行して配置してもよい。
【産業上の利用可能性】
【００６３】
本発明によれば、調理器具収納ラックに多種類の調理容器を横倒し状態で互いに重ね合わせて効率よく収納することができ、収納のための空間を大幅にコンパクト化することができる。また、調理器具の収納安定性が良好な調理器具収納ラックを低価格で提供することができる。
【符号の説明】
【００６４】
１  調理器具収納ラック
２，３  固定枠体
４，５  ガイドレール
２０，２１，２２  補強バー
３０，３１，３２  補強バー
２３，３３  固定支持部
４１，４２，４４，４３  案内面
６１〜６８  移動支持枠
６９  第２移動支持枠
７０〜７９  調理容器
８１〜８７  蓋
６０１  ローラ
６１１，６２１，６３１，６４１  棒状支持部
６５１，６６１，６７１，６８１  棒状支持部
６５２，６６２  補強金具
６５３，６６３  移動板
６９１  支持棒
【図１】
2012090719.tif 000003
【図２】
2012090719.tif 000004
【図３】
2012090719.tif 000005
【図４】
2012090719.tif 000006
【図５】
2012090719.tif 000007
【図６】
2012090719.tif 000008
【図７】
2012090719.tif 000009
【図８】
2012090719.tif 000010
【図９】
2012090719.tif 000011
【図１０】
2012090719.tif 000012
【図１１】
2012090719.tif 000013